(57)【要約】【課題】自設備の設備機器の点検記録や事故故障情報を、他設備においても共有可能にし、共有に遅れや漏れが発生することを防止できる設備機器情報管理システムを得る。【解決手段】第１プラント用装置１０において、点検端末１００から設備機器の点検記録や事故故障記録が無線ＬＡＮ６００を介して保全サーバ２００に入力され、入力された点検記録や事故故障記録から設備機器の名称が抽出され、抽出された設備機器と、当該設備機器の点検記録及び事故故障記録とを対応させた設備機器リストが作成される。また、上記抽出された設備機器の名称は、第２及び第３プラント用装置２０，３０にも送られ、同様にして、抽出された設備機器の名称に対応する自設備における設備機器と、当該設備機器の点検記録及び事故故障記録とを対応させた設備機器リストが作成される。【選択図】図１
2013205876.tif 000002
【特許請求の範囲】
【請求項１】
自己の設備機器の情報を管理する設備機器情報管理システムであって、かつ同様の構成を有する他の設備機器の情報を管理する設備機器情報管理システムと連系装置を介して連系されるものであって、
端末装置とデータ処理装置とを有し、
前記端末装置は、前記自己の設備機器の点検記録及び事故故障記録が入力されるものであり、
前記データ処理装置は、データ蓄積部と設備機器リスト作成部と送信部とを有し、
前記データ蓄積部は、前記端末装置から送信された前記自己の設備機器の点検記録及び事故故障記録を蓄積するとともに前記他の設備機器情報管理システムから送信された前記他の設備機器のうちの前記自己の設備機器と一致するものの点検記録及び事故故障記録を蓄積するものであり、
前記設備機器リスト作成部は、前記自己の設備機器と、前記データ蓄積部に蓄積された前記自己の設備機器の前記点検記録及び前記事故故障記録並びに前記他の設備機器の前記点検記録及び前記事故故障記録とを対応させた第１の機器リストを設備機器リストとして作成するものであり、
前記送信部は、前記自己の端末装置から送信された前記点検記録及び前記事故故障記録を前記連系装置を介して前記他の設備機器情報管理システムへ送信するものである
設備機器情報管理システム。
【請求項２】
前記データ処理装置は、前記自己の設備機器の全運転時間を含む運転情報を記憶する運転情報記憶部を有するものであり、
前記設備機器リスト作成部は、前記自己の設備機器と、前記データ蓄積部に蓄積された前記自己の設備機器の前記点検記録及び前記事故故障記録並びに前記他の自己の設備機器の前記点検記録及び前記事故故障記録と、前記運転情報記憶部に記録された前記自己の設備機器の前記運転情報とを対応させた第２の機器リストを前記設備機器リストとして作成するものである
請求項１に記載の設備機器情報管理システム。
【請求項３】
前記データ処理装置は、前記自己の設備機器の図面情報を含む機器情報を記憶する機器情報記憶部を有するものであり、
前記設備機器リスト作成部は、前記自己の設備機器と、前記データ蓄積部に蓄積された前記自己の設備機器の前記点検記録及び前記事故故障記録並びに前記他の設備機器の前記点検記録及び前記事故故障記録と、前記機器情報記憶部に記録された前記自己の設備機器の前記機器情報とを対応させた第３の機器リストを前記設備機器リストとして作成するものである
請求項１または請求項２に記載の設備機器情報管理システム。
【請求項４】
前記データ処理装置は、前記自己の設備機器リストと、前記データ蓄積部に蓄積された前記自己の設備機器の前記点検記録及び前記事故故障記録並びに前記他の設備機器の前記点検記録及び前記事故故障記録と、緊急度及び故障した場合の影響度とに基づいて点検スケジュールを作成する点検スケジュール作成部を有するものである
請求項２または請求項３に記載の設備機器情報管理システム。
【請求項５】
前記端末装置は、前記データ処理装置で作成された前記設備機器リストまたは前記点検スケジュールを表示する表示部を有するものである
請求項１〜請求項４のいずれか１項に記載の設備機器情報管理システム。
【発明の詳細な説明】
【技術分野】
【０００１】
本発明は、プラントの設備機器等の情報を管理する設備機器情報管理システムに関する。
【背景技術】
【０００２】
従来の設備機器情報管理システムでは一般的に、１箇所のプラントや設備に限定された閉じた情報管理を行っている。例えば、入力画面を介して入力された保守・点検等の種々の情報を保守・点検情報記憶部に格納しておき、保守・点検情報処理部により、保守・点検情報処理部に格納された情報を、所定の一覧表形式で表示手段に表示するようにしたものがある（例えば、特許文献１参照）。
【先行技術文献】
【特許文献】
【０００３】
【特許文献１】特開平１０−１６１７３３号公報
【発明の概要】
【発明が解決しようとする課題】
【０００４】
従来の設備機器情報管理システムは以上のように構成され、１箇所のプラントや設備に限定された閉じた情報管理を行っており、自設備の点検記録や事故故障情報を他の設備において共有できなかったり、共有に遅れや漏れが発生するリスクがある。
【０００５】
この発明は上記のような問題点を解決するためになされたものであり、設備機器と、設備機器の点検記録や事故故障情報とを対応させた設備機器リストを作成できるとともに、一の設備機器の点検記録や事故故障情報を、他の設備（プラント）においても共有可能にし、共有に遅れや漏れが発生することを防止できる設備機器情報管理システムを得ることを目的とする。
【課題を解決するための手段】
【０００６】
この発明に係る設備機器情報管理システムにおいては、
自己の設備機器の情報を管理する設備機器情報管理システムであって、かつ同様の構成を有する他の設備機器の情報を管理する設備機器情報管理システムと連系装置を介して連系されるものであって、
端末装置とデータ処理装置とを有し、
前記端末装置は、前記自己の設備機器の点検記録及び事故故障記録が入力されるものであり、
前記データ処理装置は、データ蓄積部と設備機器リスト作成部と送信部とを有し、
前記データ蓄積部は、前記端末装置から送信された前記自己の設備機器の点検記録及び事故故障記録を蓄積するとともに前記他の設備機器情報管理システムから送信された前記他の設備機器のうちの前記自己の設備機器と一致するものの点検記録及び事故故障記録を蓄積するものであり、
前記設備機器リスト作成部は、前記自己の設備機器と、前記データ蓄積部に蓄積された前記自己の設備機器の前記点検記録及び前記事故故障記録並びに前記他の設備機器の前記点検記録及び前記事故故障記録とを対応させた第１の機器リストを設備機器リストとして作成するものであり、
前記送信部は、前記自己の端末装置から送信された前記点検記録及び前記事故故障記録を前記連系装置を介して前記他の設備機器情報管理システムへ送信するものである。
【発明の効果】
【０００７】
この発明は、
自己の設備機器の情報を管理する設備機器情報管理システムであって、かつ同様の構成を有する他の設備機器の情報を管理する設備機器情報管理システムと連系装置を介して連系されるものであって、
端末装置とデータ処理装置とを有し、
前記端末装置は、前記自己の設備機器の点検記録及び事故故障記録が入力されるものであり、
前記データ処理装置は、データ蓄積部と設備機器リスト作成部と送信部とを有し、
前記データ蓄積部は、前記端末装置から送信された前記自己の設備機器の点検記録及び事故故障記録を蓄積するとともに前記他の設備機器情報管理システムから送信された前記他の設備機器のうちの前記自己の設備機器と一致するものの点検記録及び事故故障記録を蓄積するものであり、
前記設備機器リスト作成部は、前記自己の設備機器と、前記データ蓄積部に蓄積された前記自己の設備機器の前記点検記録及び前記事故故障記録並びに前記他の設備機器の前記点検記録及び前記事故故障記録とを対応させた第１の機器リストを設備機器リストとして作成するものであり、
前記送信部は、前記自己の端末装置から送信された前記点検記録及び前記事故故障記録を前記連系装置を介して前記他の設備機器情報管理システムへ送信するものであるので、
設備機器と、設備機器の点検記録や事故故障情報とを対応させた設備機器リストを作成できるとともに、自設備の設備機器の点検記録や事故故障情報を、他の設備（プラント）においても共有可能にし、共有に遅れや漏れが発生することを防止できる設備機器情報管理システムを得ることができる。
【図面の簡単な説明】
【０００８】
【図１】この発明の実施の形態１である設備機器情報管理システムの構成を示す構成図である。
【図２】図１の第１プラント用装置の詳細構成を示す詳細構成図である。
【図３】図１の設備機器情報管理システムの動作を説明するためのフローチャートである。
【図４】図１の設備機器情報管理システムの動作を説明するためのフローチャートである。
【図５】実施の形態２である第１プラント用装置の構成を示す構成図である。
【図６】図５の設備機器情報管理システムの動作を説明するためのフローチャートである。
【図７】図５の設備機器情報管理システムの動作を説明するためのフローチャートである。
【図８】実施の形態３である第１プラント用装置の構成を示す構成図である。
【図９】図８の設備機器情報管理システムの動作を説明するためのフローチャートである。
【図１０】図８の設備機器情報管理システムの動作を説明するためのフローチャートである。
【図１１】実施の形態４である第１プラント用装置の構成を示す構成図である。
【図１２】実施の形態５である第１プラント用装置の構成を示す構成図である。
【発明を実施するための形態】
【０００９】
実施の形態１．
図１〜図４は、この発明を実施するための実施の形態１を示すものであり、図１は設備機器情報管理システムの構成を示す構成図、図２は図１の設備機器情報管理システムの詳細構成を示す詳細構成図、図３及び図４は設備機器情報管理システムの動作を説明するためのフローチャートである。図１において、第１プラント用装置１０は、端末装置としての点検端末１００、保全サーバ２００、運転情報サーバ３００、プロセスコントローラ５００を有する。第２プラント用装置２０及び第３プラント用装置３０も同様に、点検端末１００、保全サーバ２００、運転情報サーバ３００、プロセスコントローラ５００を有する。なお、プロセスコントローラ５００は図示しない設備機器や計測機器と接続され設備機器の制御やプロセスの計測を行う。第１プラント用装置１０、第２プラント用装置２０及び第３プラント用装置３０は、それぞれ連系装置としての広域ネットワーク回線７００により接続される。なお、第１、第２、第３プラント用装置１０，２０，３０は、この発明における設備機器情報管理システムであり、図示していない第１、第２、第３プラントの設備機器の情報を管理するものである。
【００１０】
図２は、第１プラント用装置の詳細構成を示す詳細構成図である。点検端末１００は、点検記録処理部１０１、事故故障記録処理部１０２、通信処理部１０３を有する。保全サーバ２００は、データ蓄積部としての保全データ処理部２０１、設備機器リスト作成部としての機器リスト作成部２０２、通信部としての通信処理部２０３を有する。なお、保全データ処理部２０１、機器リスト作成部２０２、通信処理部２０３にて本発明のデータ処理装置が構成されている。運転情報記憶部としての運転情報サーバ３００は、運転情報管理部３０１、障害情報管理部３０２を有する。保全サーバ２００の保全データ処理部２０１には、設備機器をキーにして点検記録と事故故障記録が蓄積されている。運転情報サーバ３００の運転情報管理部３０１には設備機器の現在の稼動状況、過去の運転回数、全運転時間等の運転情報が記憶され、障害情報管理部３０２には設備機器の例えば故障による運転停止や減速運転等の障害情報等の運転情報が記憶されている。
【００１１】
詳細な動作は後述するが、まず概略の動作を説明する。図２において、点検端末１００において入力された情報は、点検記録処理部１０１及び事故故障記録処理部１０２から通信処理部１０３を介して、アクセスポイントであるプロセスコントローラ５００の通信処理部５０１を経由して、保全サーバ２００の保全データ処理部２０１に蓄積される。運転情報サーバ３００の運転情報管理部３０１及び障害情報管理部３０２において記憶されている運転情報は、設備機器の名称をキーにして、保全サーバ２００の保全データ処理部２０１に記憶されている点検記録や事故故障記録と関連づけられ、機器リスト作成部２０２にて第１の機器リストが設備機器リストとして作成される。また、保全サーバ２００の通信処理部２０３を介して、広域ネットワーク回線７００にて接続されている他プラント用装置（図２の第１プラント用装置１０と同様の構成である）の保全サーバ（図２の保全サーバ２００に相当）と連系されることで、複数のプラントにまたがった点検記録や事故故障記録から抽出された設備機器に対応して諸データが関連づけされた設備機器リストを作成することができる。
【００１２】
次に、設備機器情報管理システムの詳細動作について、図３のフローチャートを用いて説明する。点検端末１００から、点検記録の入力（ステップＳ１０１）や事故故障記録の入力が行われ（ステップＳ１０２）、点検端末１００の通信処理部１０３を介して、保全サーバ２００に点検記録及び事故故障記録のデータが送信される（ステップＳ１０３）。保全サーバ２００では、点検端末１００からの点検記録及び事故故障記録のデータを受信し保全データ処理部２０１にデータ蓄積を行う（ステップＳ２０１）。また、機器リスト作成部２０２が、新規に蓄積した点検記録及び事故故障記録から関連する設備機器の名称を抽出して（ステップＳ２０２）、設備機器の名称と点検記録及び事故故障記録を広域ネットワーク回線７００を介して他の全ての（この実施の形態では二つである）プラント用装置すなわち第２プラント用装置２０及び第３プラント用装置３０の保全サーバの保全データ処理部（図２保全サーバ２００の保全データ処理部２０１に相当）へ送信する（ステップＳ２０３）。次に、機器リスト作成部２０２は、設備機器名をキーにして、保全データ処理部２０１に蓄積された点検記録及び事故故障記録を検索し、設備機器と点検記録及び事故故障記録とを対応させた第１の機器リストを設備機器リストとして作成し（ステップＳ２１１）、記憶する（ステップＳ２１２）。
【００１３】
次に、第１プラント用装置１０が他のプラント用装置例えば第２プラント用装置２０から第２プラント用装置２０における設備機器の点検記録や事故故障情報を受信した場合（上記ステップＳ２０３におけるのと同様にして送信されて来る）の動作を説明する。図４のフローチャートにおいて、機器リスト作成部２０２は、広域ネットワーク回線７００を介して第２プラント用装置２０から第２プラントにおける設備機器の点検記録や事故故障情報及び設備機器の名称のデータを受信し（ステップＳ６０１）、自装置（プラント）に該当する設備機器があるか否かを判定し（ステップＳ６０２）、有れば保全データ処理部２０１に該当する設備機器の点検記録や事故故障記録を蓄積する（ステップＳ６０３）。続いて、機器リスト作成部２０２は、自己の設備機器の名称をキーにして、保全データ処理部２０１に蓄積された自己の設備機器の点検記録及び事故故障記録並びに第２プラント用装置２０から送信されてきた第２プラントの設備機器の点検記録及び事故故障記録とを対応させた第１の機器リストを設備機器リストとして作成し（ステップＳ２１１）、記憶する（ステップＳ２１２）。なお、ステップＳ６０２において、自装置に該当する設備機器がなければ終了する。
【００１４】
以上のように、この実施の形態によれば、第１、第２、第３プラント用装置１０，２０，３０間でデータの展開、統合が行われ、設備機器の点検記録及び事故記録を第１、第２、第３プラントにまたがって共有できるとともに、自プラントの設備機器の点検記録及び事故故障記録に加えて他プラント（設備）の設備機器の点検記録及び事故故障記録を含めた設備機器リストを作成することができ、事故故障記録から製品不具合や劣化が発見された場合に、作成された設備機器リストから対応する設備機器を抽出して、設備機器の事故や故障の発生を未然に防ぐことが可能となる。また、第１、第２、第３プラント用装置１０，２０，３０は、それぞれ独立して点検記録及び事故故障記録の管理や設備機器リストを作成できるので、全体として独立性及び自由度に優れかつ設備機器の点検記録及び事故故障記録等のデータの共有性が高い設備機器情報管理システムを実現できる。
【００１５】
実施の形態２．
図５〜図７は、実施の形態２を示すものであり、図５は第１プラント用装置の構成を示す構成図、図６及び図７は動作を説明するためのフローチャートである。実施の形態１では、保全サーバ２００に保存された点検記録や事故故障記録と、設備機器との関連づけについて述べたが、図５で示すように第１プラント用装置１１において、保全サーバ２１０に関連情報処理部２０５を設ける。また、端末装置としての点検端末１１０に表示部としての保全情報表示部１０４を設ける。その他の構成については、図２に示した実施の形態１と同様のものであるので、相当するものに同じ符号を付して説明を省略する。なお、機器リスト作成部２０２と関連情報処理部２０５とがこの発明における設備機器リスト作成部を構成している。
【００１６】
次に、動作について図６及び図７により説明する。図６において、点検端末１００から保全サーバ２００に入力された点検記録及び事故故障記録から関連する設備機器の名称を抽出して広域ネットワーク回線７００を介して第２プラント用装置２０及び第３プラント用装置３０の保全データ処理部２０１へ送信する（ステップＳ１０１〜ステップＳ２０３）までの動作は図２に示した第１プラント用装置１０と同様である。続いて、関連情報処理部２０５は自己の運転情報サーバ３００へ、抽出した設備機器の名称を送信し関連運転情報の有無を照会する（ステップＳ２２１）。関連運転情報の有無の照会を受けた運転情報サーバ３００においては、当該設備機器の関連運転情報の有無が検索され（ステップＳ３０１）、関連運転情報があれば関連運転情報を編集し（ステップＳ３０２）、保全サーバ２００の保全データ処理部２０１へ送信される（ステップＳ３０３）。なお、保全データ処理部２０１へ送信された関連運転情報は、保全データ処理部２０１に記憶される。
【００１７】
次に、機器リスト作成部２０２は、設備機器の名称をキーにして、保全データ処理部２０１に記憶された点検記録及び事故故障記録と、全運転時間を含む関連運転情報とを対応させた第２の機器リストを設備機器リストとして作成し（ステップＳ２２２）、記憶する（ステップＳ２２３）。この設備機器リストは必要に応じて点検端末１００へ送信される。あるいは、点検端末１００の要求により送信される。そして、この設備機器リストを保全情報表示部１０４にて表示することにより、現場で確認することができる。
【００１８】
実施の形態３．
図８〜図１０は、実施の形態３を示すものであり、図８は第１プラント用装置の構成を示す構成図、図９及び図１０は動作を説明するためのフローチャートである。実施の形態２の図５の構成に加えて、図８で示すように第１プラント用装置１２において、保全サーバ２２０に図５の関連情報処理部２０５とは別の機能を有する関連情報処理部２０６を設ける。また、図面管理部４０１、台帳管理部４０２を有する機器情報記憶部としての図面サーバ４００を設ける。図面管理部４０１においては設備機器の名称をキーにして図面情報（図面データ）等の設備機器情報が記憶され、台帳管理部４０２においては設備機器の仕様、設備情報、納入時期（年月日）、稼働開始時期（年月日）等の設備機器情報が記憶されている。なお、機器リスト作成部２０２と関連情報処理部２０６とがこの発明における設備機器リスト作成部を構成している。
【００１９】
以下、動作について図９及び図１０のフローチャートにより説明する。点検端末１００から保全サーバ２００へ点検記録及び事故故障記録が入力され、運転情報サーバ３００においては、当該設備機器の関連運転情報の有無が検索され、関連運転情報があれば関連運転情報を編集し保全サーバ２００の保全データ処理部２０１へ送信される（ステップＳ１０１〜ステップＳ３０３）までの動作は、図５に示した実施の形態２と同様である。続いて、関連情報処理部２０６は自己の図面サーバ４００へ、抽出した設備機器の名称を送信し関連機器情報の有無を照会する（ステップＳ２３１）。
【００２０】
照会を受けた図面サーバ４００の台帳管理部４０２は機器仕様や図面データ等の関連機器情報の有無を検索し（ステップＳ４０１）、関連機器情報があれば当該関連機器情報を編集し（ステップＳ４０２）、保全サーバ２００の保全データ処理部２０１へ送信する（ステップＳ４０３）。なお、図面サーバ４００から送信された関連機器情報は保全データ処理部２０１に記憶される。次に、機器リスト作成部２０２は、設備機器名をキーにして、保全データ処理部２０１に記憶された点検記録及び事故故障記録、関連運転情報、関連機器情報を検索し、設備機器と点検記録及び事故故障記録、全運転時間を含む関連運転情報、図面情報を含む関連機器情報とを対応させた第３の機器リストを機器リストとして作成し（ステップＳ２３２）、記憶する（ステップＳ２３３）。
【００２１】
この関連情報処理部２０６により、図面サーバ４００で管理する設備機器の仕様、設備情報、納入時期（年月日）、稼働開始時期（年月日）、図面情報などの静的な機器情報も取り込んだ第３の機器リストが設備機器リストとして作成され、点検端末１００へ自動的に送信される。点検端末１００においては、送信された設備機器リストを保全情報表示部１０４に表示したり、現場の点検端末１００で点検中の設備機器に関する図面や仕様を抽出し、保全情報表示部１０４に表示することができる。
【００２２】
実施の形態４．
図１１は、実施の形態４である第１プラント用装置の構成を示す構成図である。この実施の形態においては、図１１で示すように第１プラント用装置１３において、保全サーバ２３０に点検スケジュール作成部２０７を設ける。その他の構成については、図８に示した実施の形態３と同様のものであるので、相当するものに同じ符号を付して説明を省略する。点検スケジュール作成部２０７は、実施の形態３で説明した設備機器リスト（第３の機器リスト）を元に、プラントへの影響度や緊急度を考慮した点検スケジュールを作成し、設備機器リストと併せて点検端末１００へ自動的に送信する。点検端末１００では、点検スケジュールや設備機器リストを保全情報表示部１０４に表示することにより、点検スケジュールや設備機器リストを現場にて確認することができる。なお、以上では、関連情報処理部２０６や点検スケジュール作成部２０７から点検スケジュールや設備機器リストを自動的に送信するものを示したが、自動送信するのではなく、点検端末１１０からの要求によって送信するようにしてもよい。
【００２３】
実施の形態５．
図１２は、実施の形態５である第１プラント用装置の構成を示す構成図である。実施の形態２〜４では点検端末１００の保全情報表示部１０４において、点検スケジュールや事故故障情報の確認ができるものについて説明したが、図１２に示すように第１プラント用装置１４において、プロセスコントローラ５１０に設備位置情報検出部５０２を設ける。その他の構成については、図１１に示した実施の形態４と同様のものであるので、相当するものに同じ符号を付して説明を省略する。設備位置情報検出部５０２により点検端末１００が自プロセスコントローラ５１０の近くにあることを検出して、保全サーバ２３０から設備機器リストや点検スケジュールを点検端末１００に送信させることにより、点検端末１００では現場で点検中の設備機器に関する点検スケジュール、設備機器リスト、運転故障情報等を抽出し、保全情報表示部１０４に表示することができる。
【００２４】
なお、本発明は、その発明の範囲内において、上述した各実施の形態を自由に組み合わせたり、各実施の形態を適宜、変更、省略することが可能である。
【符号の説明】
【００２５】
１０，１１，１２，１３，１４，２０，３０  プラント用装置、
１００，１１０  点検端末、１０１  点検記録処理部、１０２  事故故障記録処理部、
１０３  通信処理部、１０４  保全情報表示部、２００，２１０，２２０  保全サーバ、
２０１  保全データ処理部、２０２  機器リスト作成部、２０３  通信処理部、
２０５  関連情報処理部、２０６  関連情報処理部、２０７  点検スケジュール作成部、
３００  運転情報サーバ、３０１  運転情報管理部、３０２  障害情報管理部、
４００  図面サーバ、４０１  図面管理部、４０２  台帳管理部、
５００  プロセスコントローラ、５０２  設備位置情報検出部、
５１０  プロセスコントローラ、７００  広域ネットワーク回線。
【図１】
2013205876.tif 000003
【図２】
2013205876.tif 000004
【図３】
2013205876.tif 000005
【図４】
2013205876.tif 000006
【図５】
2013205876.tif 000007
【図６】
2013205876.tif 000008
【図７】
2013205876.tif 000009
【図８】
2013205876.tif 000010
【図９】
2013205876.tif 000011
【図１０】
2013205876.tif 000012
【図１１】
2013205876.tif 000013
【図１２】
2013205876.tif 000014